(57)【要約】      （修正有）【課題】瞼にあった形状を維持しながら保管ができ、メンテナンスもできる付けまつげ保管容器を提供する。【解決手段】付けまつげ保管容器１０は、略筒状の外周部を有し、内部に付けまつげＭを収納することのできる空間を備えた容器１と、容器に被せる蓋２とを備え、容器の外周部上縁には、瞼の曲面に沿った形状の湾曲面３が複数形成され、蓋の下面には、この湾曲面に密着する曲面が形成されている。【選択図】図２
0003201846.tif 000002
【実用新案登録請求の範囲】
【請求項１】
略筒状の外周部を有し内部に付けまつげを収納することのできる空間を備えた容器と、前記容器に被せる蓋とを備え、前記外周部の上縁には、瞼の曲面に沿った形状の湾曲面が複数形成され、前記蓋の下面には、前記湾曲面に密着する曲面が形成されていることを特徴とする付けまつげ保管容器。
【請求項２】
前記容器は、平面視が梅花に似た形状であることを特徴とする請求項１に記載の付けまつげ保管容器。
【請求項３】
前記容器又は前記蓋の内側には、容器内に収納された付けまつげの根元部分を保持する保持皿が設けられ、該保持皿には、前記湾曲面と同一形状の湾曲面が形成されていることを特徴とする請求項１又は２に記載の付けまつげ保管容器。
【請求項４】
前記湾曲面の厚みは、前記付けまつげの根元部分のみを保持することのできる幅に形成されていることを特徴とする請求項１〜３の何れかに記載の付けまつげ保管容器。
【考案の詳細な説明】
【技術分野】
【０００１】
本考案は、付けまつげを保管する容器に関する。
【背景技術】
【０００２】
従来、付けまつげを収納、保管するケースとしては、下記特許文献に記載のものが知られている。
【先行技術文献】
【特許文献】
【０００３】
【特許文献１】登録実用新案第3043843号公報
【特許文献２】登録実用新案第3157680号公報
【特許文献３】特開2008-161646号公報
【特許文献４】特許第4542622号公報
【考案の概要】
【考案が解決しようとする課題】
【０００４】
しかしながら、これらの収納ケースは、付けまつげを粘着剤で仮止めした状態で収納するもので、そのままでは、次第に形状が崩れ、それを装着するときは、瞼に合わないことがある。そのため、手入れが必要になるが、その手入れも、付けまつげを手に持って行うことになるから、ドライヤーを使用して癖を修正することができない問題があった。
【０００５】
本考案は上記の問題を解決するもので、瞼にあった形状を維持しながら保管ができ、メンテナンスもできる新たな付けまつげ保管容器を提供することを課題とする。
【課題を解決するための手段】
【０００６】
本考案に係る付けまつげ保管容器は、略筒状の外周部を有し、内部に付けまつげを収納することのできる空間を備えた容器と、前記容器に被せる蓋とを備え、前記外周部の上縁には、瞼の曲面に沿った形状の湾曲面が複数形成され、前記蓋の下面には、前記湾曲面に密着する曲面が形成されていることを特徴とする。
【０００７】
使用に際しては、前記湾曲面と前記蓋の曲面との間に、付けまつげの根元のみを上下から挟んで保持する。これにより、付けまつげは、瞼に装着されるときの形状を維持したまま、付けまつげの根元部分が容器と蓋との間で保持されるから、保管時にその形状が崩れないメリットがある。
【０００８】
また、前記容器は、平面視が梅花に似た形状であることを特徴とする。
【０００９】
これにより、隆起した容器外周部から付けまつげの毛先部分だけを出した状態で、その根元部分を容器と蓋とで保持することができるから、容器の外周から飛び出た毛先部分を何時でも簡単に手入れすることができる。
【００１０】
また、前記容器又は前記蓋の内側には、容器内に収納された付けまつげの根元部分を保持する保持皿が設けられ、該保持皿には、前記湾曲面と同一形状の湾曲面が形成されていることを特徴とする。
【００１１】
これにより、付けまつげの保管容器を持ち歩くときは、付けまつげを保持皿に仮止めした状態で、付けまつげを容器内に完全に収納することができるから、付けまつげを傷めずに持ち歩くことができる。  
【考案の効果】
【００１２】
本考案は、付けまつげの根元を、容器外周部の湾曲状の上縁と蓋との間に上下から挟み込んで保持するから、瞼に付けたときと同じ状態で付けまつげを保管することができる。したがって、付けまつげの形状が崩れないから、いつでも簡単に装着することができる。
【００１３】
また、付けまつげの毛先部分を容器の外側に出した状態で保管することができるから、付けまつげを手入れしたり、種々の装飾を施したりするときに、作業がし易くなる。
【００１４】
さらに、容器内の保持皿に付けまつげを保持させた状態で付けまつげ全体を容器内に収納することができるので、容器を持ち歩くときでも、付けまつげの毛先部分を傷付けない効果がある。
【図面の簡単な説明】
【００１５】
【図１】本考案に係る付けまつげ保管容器の一実施形態の断面図
【図２】上記実施形態の容器に蓋を被せるときの外観斜視図。
【図３】付けまつげを手入れいている状態の外観斜視図。
【図４】上記蓋を逆さにした状態の外観斜視図。
【考案を実施するための形態】
【００１６】
以下、図面に基づいて本考案に係る付けまつげ保管容器の一実施形態を説明する。
【００１７】
図１〜図４において、付けまつげ保管容器１０は、高温に耐えるポリカーボネート、アクリル樹脂等から成形されており、平面視が梅花状の容器１と、その容器１に被せる蓋２とを備えている。
【００１８】
容器１は、水平方向に隆起を繰り返す略筒状の外周部を有し、内部には、付けまつげMを複数収納することのできる空間が形成されている。また、容器１の外周部上縁には、付けまつげMを瞼に付けるときの曲面に沿った形状の湾曲面３が等間隔に複数形成され、蓋２の下面には、各湾曲面３と密着する曲面４が同数形成されている。したがって、蓋２の各曲面４は、容器１のどの湾曲面３とも上下に密着するようになっている。
【００１９】
また、各湾曲面３の水平方向の厚みは、付けまつげＭの根元部分のみを保持することのできる幅に形成されている。したがって、付けまつげＭの毛先部分を外に向け、根元部分を湾曲面３上に載せ、その上から蓋２を被せれば、付けまつげＭの根元部分のみが容器１と蓋２とで上下に挟まれるようになっている。
【００２０】
使用に際しては、付けまつげＭの毛先部分を外に向け、根元部分を容器１の湾曲面３に載せ、その上から蓋２を被せて、付けまつげＭの根元部分を上下に挟む。すると、付けまつげＭは、毛先部分が容器１から出た状態で固定されるから、それを放置しておいても、型崩れはしないし、それを使用するときも、瞼に沿った形状に保持されているから、楽に装着することができる。
【００２１】
図４は、蓋２の内側に取り付けられた保持皿５を示す。この保持皿５の周縁も、前記湾曲面３と同じ形状の湾曲面３０が形成されている。そして、容器１を持ち運ぶときは、容器１の湾曲面３に保持されていた付けまつげＭを保持皿５の湾曲面３０に付け換える。すると、付けまつげＭのすべては、容器１内に収納されるから、付けまつげＭを傷付けずに保管容器１０を持ち運ぶことができる。
【００２２】
なお、図４では、蓋２の内側に保持皿５を取り付けているが、これを容器１側に取り付けても良い。この保持皿５は、蓋２又は容器１に一体化することもできれば、着脱可能に嵌め合い式に取り付けても良い。また、容器１にお湯を溜め、そこに付けまつげＭを漬けて、メンテンスすることもできる。
【００２３】
以上、本考案の一実施形態を説明したが、本考案は、これに限定されるものではなく、他の構成も採用可能である。例えば、上記実施形態では、容器の外周部が部分的に隆起する平面視梅花形の容器としたが、これに代えて、容器外周部の一部が内側に隆起する外周部とし、外側に隆起した外周部には、上記実施形態と同様、付けまつげＭの毛先部分を容器の外側に向けて保持し、内側に隆起した外周部には、付けまつげＭの毛先部分を容器の内側に向けて、すなわち、根元部分を外に向けて保持するようにしても良い。このようにすれば、毛先部分を外に向けた側では、毛先部分の手入れを行い、根元部分を外に向けた側では、根元部分に接着剤を塗布する等の手入れを行うことができる。この場合には、蓋の形状も容器の形状に合わせておくことは、当然である。
【符号の説明】
【００２４】
１      容器
２      蓋
３      湾曲面
４      曲面
５      保持皿
１０      保管容器
３０      湾曲面
【図１】
0003201846.tif 000003
【図２】
0003201846.tif 000004
【図３】
0003201846.tif 000005
【図４】
0003201846.tif 000006